(57)【特許請求の範囲】
【請求項１】
右目用及び左目用のシャッターを有するシャッター装置を用いて鑑賞される立体画像を表示する画像表示装置であって、
前記立体画像を表示する画像表示部と、
第１の期間及び第２の期間において前記画像表示部の光源を制御する光源制御部と、
前記画像表示部に表示する前記立体画像が視認制限を要する制限画像であるか、視認制限を要しない非制限画像であるかを判別するコンテンツ判別部と、
制御信号によって前記シャッター装置の前記シャッターを制御するシャッター制御部と
を備え、
前記光源制御部は、
前記第１の期間の発光に比べ前記第２の期間の発光を低減させるように前記光源を制御し、
前記シャッター制御部は、
前記制限画像の表示中において、前記制限画像の視認を制限する視認制限モードに設定されている前記シャッター装置を対象に、前記第１の期間内において閉状態、前記第２の期間内において開状態となるように前記シャッターの開閉を制御することを特徴とする画像表示装置。
【請求項２】
前記シャッター制御部は、
前記制限画像の表示中、及び、前記非制限画像の表示中において、前記視認制限モードに設定されていない前記シャッター装置を対象に、前記第１の期間内において開状態、前記第２の期間内において閉状態となるように前記シャッターの開閉を制御することを特徴とする請求項１に記載の画像表示装置。
【請求項３】
前記シャッター制御部は、
前記非制限画像の表示中において、前記視認制限モードに設定されていない前記シャッター装置、及び、前記視認制限モードに設定されている前記シャッター装置を対象に、前記第１の期間内において開状態、前記第２の期間内において閉状態となるように前記シャッターの開閉を制御することを特徴とする請求項１又は請求項２に記載の画像表示装置。
【請求項４】
前記シャッター制御部は、
前記制限画像の表示中において、前記第２の期間の中心を含む時間で開状態となるように前記シャッターの開閉を制御することを特徴とする請求項１乃至請求項３の何れか１項に記載の画像表示装置。
【請求項５】
前記シャッター制御部は、
前記制限画像の表示中において、前記視認制限モードの非設定時の開状態の期間の中心が前記視認制限モードの設定時の閉状態の期間の中心に、前記視認制限モードの非設定時の閉状態の期間の中心が前記視認制限モードの設定時の開状態の期間の中心になるように前記シャッターの開閉を制御することを特徴とする請求項１乃至請求項４の何れか１項に記載の画像表示装置。
【請求項６】
前記シャッター制御部は、
前記制限画像の表示中において、前記視認制限モードの設定時の開状態の時間が、前記視認制限モードの非設定時の開状態の時間よりも短くなるように前記シャッターの開閉を制御することを特徴とする請求項１乃至請求項５の何れか１項に記載の画像表示装置。
【請求項７】
前記シャッター制御部は、
前記制限画像の表示中において、前記視認制限モードの設定時の開状態の時間が、前記視認制限モードの設定時の閉状態の時間よりも短くなるように前記シャッターの開閉を制御することを特徴とする請求項１乃至請求項５の何れか１項に記載の画像表示装置。
【請求項８】
前記シャッター制御部は、
前記制限画像の表示中において、前記視認制限モードの設定時の開状態の時間の中心が前記第２の期間の中心よりも前側に、かつ、前記視認制限モードの非設定時であれば当該第２の期間の直前の前記第１の期間において開状態となる右目用及び左目用のシャッターの何れか一方とは異なる他方が、当該第２の期間において開状態になるように前記シャッターの開閉を制御することを特徴とする請求項１乃至請求項４の何れか１項に記載の画像表示装置。
【請求項９】
前記シャッター制御部は、
前記制限画像の表示中において、前記視認制限モードの設定時の開状態の時間の中心が前記第２の期間の中心よりも後側に、かつ、前記視認制限モードの非設定時であれば当該第２の期間の直前の前記第１の期間において開状態となる右目用及び左目用のシャッターの何れか一方が、当該第２の期間において開状態になるように前記シャッターの開閉を制御することを特徴とする請求項１乃至請求項４の何れか１項に記載の画像表示装置。
【請求項１０】
前記画像表示部は、
前記制限画像を表示している旨を表示することを特徴とする請求項１乃至請求項９の何れか１項に記載の画像表示装置。
【請求項１１】
前記シャッター制御部は、
前記制限画像の連続表示時間が所定時間を越えた場合には、前記視認制限モードに設定されている前記シャッター装置が前記第２の期間内においても閉状態となるように前記シャッターの開閉を制御することを特徴とする請求項１乃至請求項１０の何れか１項に記載の画像表示装置。
【請求項１２】
前記画像表示部は、
前記制限画像の連続表示時間が所定時間を越えた旨を表示することを特徴とする請求項１１に記載の画像表示装置。
【請求項１３】
前記シャッター制御部は、
前記制限画像の表示中において、緊急情報を表示するときは、前記視認制限モードに設定されている前記シャッター装置であっても、前記第１の期間内において開状態、前記第２の期間内において閉状態となるように前記シャッターの開閉を制御することを特徴とする請求項１乃至請求項１２の何れか１項に記載の画像表示装置。
【請求項１４】
前記シャッター装置は、第１のシャッター装置及び第２のシャッター装置を含み、
前記第２のシャッター装置の前記視認制限モードの設定は、前記第１のシャッター装置によってなされる
ことを特徴とする請求項１乃至請求項１３の何れか１項に記載の画像表示装置。
【請求項１５】
立体画像を表示する画像表示部と第１の期間の発光に比べ第２の期間の発光を低減させるように前記画像表示部の光源を制御する光源制御部とを有する画像表示装置が表示する前記立体画像を鑑賞するためのシャッター装置であって、
右目用及び左目用のシャッターを有するシャッター部と、
前記シャッター部の駆動タイミングを制御する同期信号、及び、前記立体画像が視認制限を要する制限画像である場合に前記制限画像である旨の判別結果を受信する受信部と、
前記シャッター部を制御するシャッター制御部と
を備え、
前記シャッター制御部は、
前記制限画像の視認を制限する視認制限モードの設定中において、前記受信部が前記制限画像である旨の判別結果を受信したときは、前記受信部が受信した前記同期信号を調整し、前記第１の期間内において閉状態、前記第２の期間内において開状態となるように前記シャッターの開閉を制御することを特徴とするシャッター装置。
【請求項１６】
画像表示装置が表示する立体画像を鑑賞するためのシャッター装置であって、
右目用及び左目用のシャッターを有するシャッター部と、
前記シャッター部の駆動タイミングを制御する同期信号、及び、前記立体画像が視認制限を要する制限画像である場合に前記制限画像である旨の判別結果を受信する受信部と、
前記シャッター部を制御するシャッター制御部と
を備え、
前記シャッター制御部は、
前記制限画像の視認を制限する視認制限モードの設定中において、前記受信部が前記制限画像である旨の判別結果を受信したときは、前記受信部が受信した前記同期信号を調整し、調整後の前記シャッターの開状態の時間が、前記同期信号に示された前記シャッターの開状態の時間よりも短くなるように前記シャッターの開閉を制御することを特徴とするシャッター装置。
【請求項１７】
画像表示装置が表示する立体画像を鑑賞するためのシャッター装置であって、
右目用及び左目用のシャッターを有するシャッター部と、
前記シャッター部の駆動タイミングを制御する同期信号、及び、前記立体画像が視認制限を要する制限画像である場合に前記制限画像である旨の判別結果を受信する受信部と、
前記シャッター部を制御するシャッター制御部と、
前記制限画像の視認を制限する視認制限モードに設定する設定部と
を備え、
前記シャッター制御部は、
前記視認制限モードの設定中において、前記受信部が前記制限画像である旨の判別結果を受信したときは、前記受信部が受信した前記同期信号を調整し、前記立体画像が見難くなるように前記シャッターの開閉を制御し、
前記設定部は、
前記設定部を備えない他の１以上の前記シャッター装置の夫々を前記視認制限モードに設定することを特徴とするシャッター装置。
【請求項１８】
前記シャッター制御部は、
前記同期信号に示された前記シャッターの開状態の期間の中心が、調整後の前記シャッターの閉状態の期間の中心に、前記同期信号に示された前記シャッターの閉状態の期間の中心が、調整後の前記シャッターの開状態の期間の中心になるように前記シャッターの開閉を制御することを特徴とする請求項１５乃至請求項１７の何れか１項に記載のシャッター装置。
【発明の詳細な説明】
【技術分野】
【０００１】
本発明は、画像表示装置及びシャッター装置に関するものである。
【背景技術】
【０００２】
従来、パレンタルレベルを設定することができる３Ｄ再生装置が知られている（例えば、特許文献１参照）。特許文献１に記載の３Ｄ再生装置は、視認者の年齢に応じて、コンテンツの再生（２Ｄ再生／３Ｄ再生）、又は、コンテンツの停止などのパレンタル制御を実現する。例えば、特許文献１に記載の３Ｄ再生装置は、一定の年齢未満の子供には３Ｄ映像を２Ｄ映像としてしか見せないようにすることができる。
【先行技術文献】
【特許文献】
【０００３】
【特許文献１】特開２０１１−１３０４６８号公報
【発明の概要】
【発明が解決しようとする課題】
【０００４】
しかしながら、特許文献１に記載の技術によれば、年齢に応じて、コンテンツの再生の許可／禁止、又は、コンテンツの２Ｄ再生／３Ｄ再生を切り替えられるものの、年齢要件を満たしている大人が、年齢要件を満たしていない子供と一緒にコンテンツを鑑賞した場合、大人までもが視認制限（再生禁止、２Ｄ再生）を義務付けられることになる。つまり、特許文献１に記載の３Ｄ再生装置のパレンタル制御（ペアレント制限とも称する）は、大人と子供とが同時にコンテンツを楽しめるような使い勝手のよいものではないという問題がある。
【０００５】
本発明はこのような事情に鑑みてなされたものであって、大人と子供とが同時にコンテンツを楽しめるような使い勝手のよいパレンタル制御を実現する技術を提供する。
【課題を解決するための手段】
【０００６】
上記問題を解決するために、本発明の一態様である画像表示装置は、右目用及び左目用のシャッターを有するシャッター装置を用いて鑑賞される立体画像を表示する画像表示装置であって、前記立体画像を表示する画像表示部と、第１の期間及び第２の期間において前記画像表示部の光源を制御する光源制御部と、前記画像表示部に表示する前記立体画像が視認制限を要する制限画像であるか、視認制限を要しない非制限画像であるかを判別するコンテンツ判別部と、制御信号によって前記シャッター装置の前記シャッターを制御するシャッター制御部とを備え、前記光源制御部は、前記第１の期間の発光に比べ前記第２の期間の発光を低減させるように前記光源を制御し、前記シャッター制御部は、前記制限画像の表示中において、前記制限画像の視認を制限する視認制限モードに設定されている前記シャッター装置を対象に、前記第１の期間内において閉状態、前記第２の期間内において開状態となるように前記シャッターの開閉を制御することを特徴とする。
上記構成によれば、大人と子供とが同時にコンテンツを楽しめるような使い勝手のよいパレンタル制御を実現することができる。具体的には、準備段階として、子供が使用するシャッター装置の視認制限モードをオンに設定し、大人が使用するシャッター装置の視認制限モードをオフに設定しておく。画像表装置は、制限画像の表示中、視認制限モードをオンに設定した子供用のシャッター装置に対し、第１の期間（バックライトの点灯期間又はバックライトが強い期間）に閉状態（ＣＬＯＳＥ）、第２の期間（バックライトの消灯期間又はバックライトが弱い期間）に開状態（ＯＰＥＮ）となるように制御情報を送信するため、子供用のシャッター装置を装着した子供は、表示中の制限画像（コンテンツ全体／コンテンツ内のシーン）の視認が困難になる。なお、子供がシャッター装置を外した場合にはクロストークによって視認は困難になる。
【０００７】
上記画像表示装置において、前記シャッター制御部は、前記制限画像の表示中、及び、前記非制限画像の表示中において、前記視認制限モードに設定されていない前記シャッター装置を対象に、前記第１の期間内において開状態、前記第２の期間内において閉状態となるように前記シャッターの開閉を制御するようにしてもよい。
上記構成によれば、画像表装置は、視認制限モードをオフに設定したシャッター装置に対しては、非制限画像の表示中も制限画像の表示中も、第１の期間に開状態（ＯＰＥＮ）、第２の期間に閉状態（ＣＬＯＳＥ）となるように制御情報を送信するため、大人が使用するシャッター装置の視認制限モードをオフに設定しておけば、大人は、制限画像であってもきちんと視認することができる。
【０００８】
上記画像表示装置において、前記シャッター制御部は、前記非制限画像の表示中において、前記視認制限モードに設定されていない前記シャッター装置、及び、前記視認制限モードに設定されている前記シャッター装置を対象に、前記第１の期間内において開状態、前記第２の期間内において閉状態となるように前記シャッターの開閉を制御するようにしてもよい。
上記構成によれば、画像表装置は、非制限画像の表示中は、視認制限モードをオフに設定したシャッター装置に対しても視認制限モードをオンに設定したシャッター装置に対しても、第１の期間に開状態（ＯＰＥＮ）、第２の期間に閉状態（ＣＬＯＳＥ）となるように制御情報を送信するため、子供が使用するシャッター装置の視認制限モードをオンに設定しておいても、子供は、非制限画像であればきちんと視認することができる。
【０００９】
上記画像表示装置において、前記シャッター制御部は、前記制限画像の表示中において、前記第２の期間の中心を含む時間で開状態となるように前記シャッターの開閉を制御するようにしてもよい。
上記構成によれば、画像表装置は、最も暗い時間帯を開状態（ＯＰＥＮ）にするため、にするため、子供による制限画像の視認を一層困難にすることができる。
【００１０】
上記画像表示装置において、前記シャッター制御部は、前記制限画像の表示中において、前記視認制限モードの非設定時の開状態の期間の中心が前記視認制限モードの設定時の閉状態の期間の中心に、前記視認制限モードの非設定時の閉状態の期間の中心が前記視認制限モードの設定時の開状態の期間の中心になるように前記シャッターの開閉を制御するようにしてもよい。
上記構成によれば、画像表装置は、開状態／閉状態の期間の中心を維持しつつ、通常時（視認を困難にさせない時）と視認制限時（視認を困難にさせる時）の開状態（ＯＰＥＮ）／閉状態（ＣＬＯＳＥ）を真逆にするため、即ち、最も暗い時間帯を開状態（ＯＰＥＮ）にするため、子供による制限画像の視認を一層困難にすることができる。
【００１１】
上記画像表示装置において、前記シャッター制御部は、前記制限画像の表示中において、前記視認制限モードの設定時の開状態の時間が、前記視認制限モードの非設定時の開状態の時間よりも短くなるように前記シャッターの開閉を制御するようにしてもよい。
上記構成によれば、画像表装置は、通常時に比べ視認制限時の開状態（ＯＰＥＮ）の時間を短くするため、子供による制限画像の視認をより一層困難にすることができる。
【００１２】
上記画像表示装置において、前記シャッター制御部は、前記制限画像の表示中において、前記視認制限モードの設定時の開状態の時間が、前記視認制限モードの設定時の閉状態の時間よりも短くなるように前記シャッターの開閉を制御するようにしてもよい。
上記構成によれば、画像表装置は、視認制限時に、閉状態の時間（ＯＰＥＮ）に比べ、開状態（ＯＰＥＮ）の時間を短くするため、子供による制限画像の視認をより一層困難にすることができる。
【００１３】
上記画像表示装置において、前記シャッター制御部は、前記制限画像の表示中において、前記視認制限モードの設定時の開状態の時間の中心が前記第２の期間の中心よりも前側に、かつ、前記視認制限モードの非設定時であれば当該第２の期間の直前の前記第１の期間において開状態となる右目用及び左目用のシャッターの何れか一方とは異なる他方が、当該第２の期間において開状態になるように前記シャッターの開閉を制御するようにしてもよい。
上記構成によれば、画像表装置は、視認制限時に、光源制御（バックライト制御）のずれ、又は、バックライトの残光などによって画像が見えたとしても、各シャッターを介して本来見るべき画像（右目用シャッターを介して見るべき画像は右目用画像、左目用シャッターを介して見るべき画像は左目用画像）とは逆の画像（右目用シャッターを介して見える画像は左目用画像、左目用シャッターを介して見える画像は右目用画像）が見えるようにしているため、光源制御のずれ、又は、バックライトの残光などがある場合においても、確実に、子供による制限画像の視認を困難にすることができる。
【００１４】
上記画像表示装置において、前記シャッター制御部は、前記制限画像の表示中において、前記視認制限モードの設定時の開状態の時間の中心が前記第２の期間の中心よりも後側に、かつ、前記視認制限モードの非設定時であれば当該第２の期間の直前の前記第１の期間において開状態となる右目用及び左目用のシャッターの何れか一方が、当該第２の期間において開状態になるように前記シャッターの開閉を制御するようにしてもよい。
上記構成によれば、上述のシャッターの制御（前記制限画像の表示中において、前記視認制限モードの設定時の開状態の時間の中心が前記第２の期間の中心よりも前側に、かつ、前記視認制限モードの非設定時であれば当該第２の期間の直前の前記第１の期間において開状態となる右目用及び左目用のシャッターの何れか一方とは異なる他方が、当該第２の期間において開状態になるように前記シャッターを開閉させる制御）と同様、光源制御のずれ、又は、バックライトの残光などがある場合においても、確実に、子供による制限画像の視認を困難にすることができる。
【００１５】
上記画像表示装置において、前記画像表示部は、前記制限画像を表示している旨を表示するようにしてもよい。
上記構成によれば、例えば、制限画像を大人と子供とが一緒に見ている場合に、大人に、子供は当該制限画像をきちんと見えていないことを報知することできる。これにより、例えば、画像が見難いなどの子供からの訴えに対し適切に対応することができる。
【００１６】
上記画像表示装置において、前記シャッター制御部は、前記制限画像の連続表示時間が所定時間を越えた場合には、前記視認制限モードに設定されている前記シャッター装置が前記第２の期間内においても閉状態となるように前記シャッターの開閉を制御するようにしてもよい。
上記構成によれば、画像表装置は、第２の期間に開状態（ＯＰＥＮ）にして見せていた画像（視認が困難な画像）さえも全く見せないようにするため、長時間に視認が困難な画像を見ることによる目への負担をなくすことができる。
【００１７】
上記画像表示装置において、前記画像表示部は、前記制限画像の連続表示時間が所定時間を越えた旨を表示するようにしてもよい。
上記構成によれば、例えば、制限画像を大人と子供とが一緒に見ている場合に、大人に、子供が真っ黒の画面を見ていることを報知することできる。これにより、例えば、子供に対し、シャッター装置を外すように指示することができる。
【００１８】
上記画像表示装置において、前記シャッター制御部は、前記制限画像の表示中において、緊急情報を表示するときは、前記視認制限モードに設定されている前記シャッター装置であっても、前記第１の期間内において開状態、前記第２の期間内において閉状態となるように前記シャッターの開閉を制御するようにしてもよい。
上記構成によれば、画像表示装置は、緊急情報（例えば、地震速報、津波警報）を表示する際は視認制限を解除するため、制限画像の表示中に子供にも緊急情報を視認させることができる。
【００１９】
上記画像表示装置において、前記シャッター装置は、第１のシャッター装置及び第２のシャッター装置を含み、前記第２のシャッター装置の前記視認制限モードの設定は、前記第１のシャッター装置によってなされるようにしてもよい。
上記構成によれば、子供が勝手に視認制限モードを変更して制限画像を見てしまうことを防止することができる。
【００２０】
上記問題を解決するために、本発明の他の態様であるシャッター装置は、立体画像を表示する画像表示部と第１の期間の発光に比べ第２の期間の発光を低減させるように前記画像表示部の光源を制御する光源制御部とを有する画像表示装置が表示する前記立体画像を鑑賞するためのシャッター装置であって、右目用及び左目用のシャッターを有するシャッター部と、前記シャッター部の駆動タイミングを制御する同期信号、及び、前記立体画像が視認制限を要する制限画像である場合に前記制限画像である旨の判別結果を受信する受信部と、前記シャッター部を制御するシャッター制御部とを備え、前記シャッター制御部は、前記制限画像の視認を制限する視認制限モードの設定中において、前記受信部が前記制限画像である旨の判別結果を受信したときは、前記受信部が受信した前記同期信号を調整し、前記第１の期間内において閉状態、前記第２の期間内において開状態となるように前記シャッターの開閉を制御することを特徴とする。
上記構成によれば、シャッター装置は、必要に応じて同期信号を調整するため、画像表示装置側においてシャッター装置毎に異なる制御信号（同期信号）を出力しなくても、大人と子供とが同時にコンテンツを楽しめるような使い勝手のよいパレンタル制御を実現することができる。
【００２１】
上記シャッター装置において、前記シャッター制御部は、前記同期信号に示された前記シャッターの開状態の期間の中心が、調整後の前記シャッターの閉状態の期間の中心に、前記同期信号に示された前記シャッターの閉状態の期間の中心が、調整後の前記シャッターの開状態の期間の中心になるように前記シャッターの開閉を制御するようにしてもよい。
上記構成によれば、シャッター装置は、開状態／閉状態の期間の中心を維持しつつ、通常時（視認を困難にさせない時）と視認制限時（視認を困難にさせる時）の開状態（ＯＰＥＮ）／閉状態（ＣＬＯＳＥ）を真逆にするため、即ち、最も暗い時間帯を開状態（ＯＰＥＮ）にするため、子供による制限画像の視認を一層困難にすることができる。
【００２２】
上記シャッター装置において、前記シャッター制御部は、調整後の前記シャッターの開状態の時間が、前記同期信号に示された前記シャッターの開状態の時間よりも短くなるように前記シャッターの開閉を制御するようにしてもよい。
上記構成によれば、シャッター装置は、通常時に比べ視認制限時の開状態（ＯＰＥＮ）の時間を短くするため、子供による制限画像の視認をより一層困難にすることができる。
【００２３】
上記シャッター装置において、前記視認制限モードに設定する設定部を備え、前記設定部は、前記設定部を備えない他の１以上の前記シャッター装置の夫々を前記視認制限モードに設定するようにしてもよい。
上記構成によれば、子供が勝手に視認制限モードを変更して制限画像を見てしまうことを防止することができる。
【図面の簡単な説明】
【００２４】
【図１】本発明の第１の実施形態による、画像表示装置を含む画像表示システムの機能ブロック図の一例である。
【図２】光源制御部による制御を説明するための説明図である。
【図３】モード記憶部に記憶されている情報の一例である。
【図４】同期信号生成部によって生成される同期信号を説明するための説明図である。
【図５】同期信号調整部によって調整される同期信号を説明するための説明図である。
【図６】同期信号調整部によって調整される同期信号を説明するための説明図である。
【図７】本発明の第１の実施形態による画像表示装置の動作の一例を示すフローチャートである。
【図８】本発明の第２の実施形態による、画像鑑賞用メガネを含む画像表示システムの機能ブロック図の一例である。
【図９】モード記憶部に記憶されている情報の一例である。
【図１０】本発明の第２の実施形態による画像鑑賞用メガネの動作の一例を示すフローチャートである。
【図１１】本発明の第３の実施形態による、制御装置を含む画像表示システムの機能ブロック図の一例である。
【発明を実施するための形態】
【００２５】
［第１の実施形態］
以下、本発明の第１の実施形態について図面を参照して詳細に説明する。図１は、本発明の第１の実施形態による、画像表示装置１０を含む画像表示システム１の機能ブロック図の一例である。図２は、光源制御部１０２による制御を説明するための説明図である。図３は、モード記憶部１９０に記憶されている情報の一例である。図４は、同期信号生成部１０４によって生成される同期信号を説明するための説明図である。図５及び図６は、同期信号調整部１０６によって調整される同期信号を説明するための説明図である。
【００２６】
画像表示システム１は、図１に示すように、左目用画像及び右目用画像を含む３Ｄコンテンツ（３Ｄ画像、又は、立体画像とも称する）を表示する画像表示装置１０と、画像表示装置１０が表示する３Ｄコンテンツを鑑賞するための画像鑑賞用メガネ（３Ｄメガネ、又は、シャッター装置とも称する）２０とを備える。画像表示装置１０は、例えば、３Ｄテレビ、プロジェクターなどが該当する。なお、図１において１つの画像鑑賞用メガネ２０を示したが、画像表示システム１は複数の画像鑑賞用メガネ２０を備えていてもよい。
【００２７】
（画像表示装置１０）
画像表示装置１０は、制御部１００（ＣＰＵ）、画像表示部１１０、通信部１２０及びモード記憶部１９０を備える。制御部１００は、画像制御部１０１、光源制御部１０２、シャッター制御部１０３及びコンテンツ判別部１０９を有する。シャッター制御部１０３は、同期信号生成部１０４、制限要否判定部１０５及び同期信号調整部１０６を有する。画像表示部１１０は、液晶パネル１１１及び光源１１２を有する。
【００２８】
画像制御部１０１は、３Ｄコンテンツ、及び、該３Ｄコンテンツの表示タイミング（表示タイミング信号）を取得する。例えば、画像表示装置１０がアンテナ部（非図示）を備える場合、画像制御部１０１は、アンテナ部を介して放送局（放送波）から３Ｄコンテンツ及び表示タイミングを取得（受信）する。また、画像制御部１０１は、外部装置（例えば、パーソナルコンピューター、サーバー）から、３Ｄコンテンツ及び表示タイミングを取得してもよい。また、画像表示装置１０がコンテンツ記憶部（非図示）を内蔵する場合、画像制御部１０１は、内蔵するコンテンツ記憶部から、３Ｄコンテンツ及び表示タイミングを取得してもよい。
【００２９】
画像制御部１０１は、３Ｄコンテンツ、及び、該３Ｄコンテンツの表示タイミングを取得した場合、該表示タイミングにて、該３Ｄコンテンツを液晶パネル１１１に出力する。より詳細には、画像制御部１０１は、取得した３Ｄコンテンツに対し必要な処理（スケーリング、キーストーン、フレームレート変換等）を実行し、取得した表示タイミングで液晶パネル１１１に出力する。また、画像制御部１０１は、表示タイミングを光源制御部１０２及びシャッター制御部１０３（同期信号生成部１０４）に出力する。
【００３０】
液晶パネル１１１は、画像制御部１０１から供給される３Ｄコンテンツを表示する。液晶パネル１１１の明るさ（輝度）は、光源１１２の透過光によって調整される。従って、光源１１２の発光レベルを高くすれば表示される３Ｄコンテンツは明るくなり、光源１１２の発光レベルを低くすれば表示される３Ｄコンテンツは暗くなる。
【００３１】
光源制御部１０２は、画像制御部１０１から表示タイミングを取得する。光源制御部１０２は、画像制御部１０１から表示タイミングを取得した場合、該表示タイミングに従って、光源１１２を制御する。具体的には、光源制御部１０２は、図２に示すように、左目用画像のみを表示する期間若しくは右目用画像のみを表示する期間（第１の期間）の発光に比べ、左目用画像から右目用画像への切り替え期間若しくは右目用画像から左目用画像への切り替え期間（第２の期間）の発光を低減させるように光源１１２を制御する。これにより、左目用画像から右目用画像への切り替え（若しくは右目用画像から左目用画像への切り替え）を見え難くしている。
【００３２】
コンテンツ判別部１０９は、画像制御部１０１から液晶パネル１１１に供給される３Ｄコンテンツ（即ち、画像表示部１１０に表示する３Ｄコンテンツ）が、視認制限（パレンタル制御）を要するコンテンツ（「制限コンテンツ」又は「制限画像」とも称する）であるか、視認制限を要しないコンテンツ（「非制限コンテンツ」又は「非制限画像」とも称する）であるかを判別する。例えば、コンテンツ判別部１０９は、既存の情報（例えば、３Ｄコンテンツ内に格納された当該３Ｄコンテンツの視認制限に関する情報、又は、３Ｄコンテンツの視認制限に関する外部の情報）を参照し、制限コンテンツ／非制限コンテンツを判別する。なお、コンテンツ判別部１０９は、３Ｄコンテンツ全体として、制限コンテンツ／非制限コンテンツを判別してもよいし、３Ｄコンテンツの再生位置毎に、制限コンテンツ／非制限コンテンツを判別してもよい。コンテンツ判別部１０９は、判別結果を制限要否判定部１０５に出力する。
【００３３】
モード記憶部１９０は、画像鑑賞用メガネ２０に設定されているモードを記憶する。具体的には、モード記憶部１９０は、夫々の画像鑑賞用メガネ２０について、制限コンテンツの視認を制限する視認制限モードの設定の有無を示す情報（以下、「視認制限モード設定有無情報」という）を記憶する。例えば、図３に示すように、モード記憶部１９０は、画像鑑賞用メガネ２０を識別するメガネ識別情報に対応付けて、視認制限モード設定有無情報を記憶する。図３に示す例によれば、メガネ識別情報「Ｇ００１」の画像鑑賞用メガネ２０は視認制限モードに未設定であるが（視認制限モード設定有無情報「０（設定オフ）」）、メガネ識別情報「Ｇ００２」の画像鑑賞用メガネ２０は視認制限モードに設定済である（視認制限モード設定有無情報「１（設定オン）」）。なお、視認制限モード設定有無情報の初期値を０としてもよい。
【００３４】
モード記憶部１９０に記憶される夫々の画像鑑賞用メガネ２０の視認制限モード設定有無情報は、画像表示装置１０の操作受付部（非図示）を介して受け付けたものであってもよい。即ち、ユーザーは、夫々の画像鑑賞用メガネ２０の視認制限モード設定有無情報を画像表示装置１０上にて入力してもよい。また、モード記憶部１９０に記憶される夫々の画像鑑賞用メガネ２０の視認制限モード設定有無情報は、夫々の画像鑑賞用メガネ２０において入力され、夫々の画像鑑賞用メガネ２０から送信（ブルートゥースを利用）されたものであってもよい。即ち、ユーザーは、夫々の画像鑑賞用メガネ２０の視認制限モード設定有無情報を夫々の画像鑑賞用メガネ２０上にて入力してもよい。
【００３５】
また、画像鑑賞用メガネ２０には、マスターメガネ（マスター３Ｄメガネ、又は、第１のシャッター装置とも称する）とスレーブメガネ（スレーブ３Ｄメガネ、又は、第２のシャッター装置とも称する）とが存在し、スレーブメガネの視認制限モード設定有無情報は、マスターメガネにおいて入力され、マスターメガネから送信（ブルートゥースを利用）されたものであってもよい。なお、マスターメガネにて視認制限モード設定有無情報の入力を許可し、スレーブメガネにて視認制限モード設定有無情報の入力を禁止することによって実現してもよいし、画像表示装置１０において、マスターメガネから送信された視認制限モード設定有無情報をモード記憶部１９０に記憶し、スレーブメガネから送信された視認制限モード設定有無情報を破棄することによって実現してもよい。
【００３６】
シャッター制御部１０３は、制御信号（後述）によって、画像鑑賞用メガネ２０が有するシャッター（後述）を制御する。以下、シャッター制御部１０３の詳細を説明する。
【００３７】
同期信号生成部１０４は、画像制御部１０１から表示タイミングを取得する。同期信号生成部１０４は、画像制御部１０１から取得した表示タイミングに従って、画像鑑賞用メガネ２０に送信する同期信号を生成する。
【００３８】
具体的には、同期信号生成部１０４は、画像鑑賞用メガネ２０が有するシャッターが、図４に示すように、第１の期間内において開状態（ＯＰＥＮ）、第２の期間内において閉状態（ＣＬＯＳＥ）となるような同期信号を生成する。なお、「開状態」は完全に「開」である必要はなく、また「閉状態」は完全に「閉」である必要はない。「閉状態」は「開状態」よりも光の透過率が低ければよい。
【００３９】
なお、図４は、右目用画像から左目用画像に切り替わる第２の期間（符号Ａ）に続く第１の期間（符号Ｂ）に左目シャッター（後述）が開状態、左目用画像から右目用画像に切り替わる第２の期間（符号Ｃ）に続く第１の期間（符号Ｄ）に右目シャッター（後述）が開状態となる例である。
【００４０】
制限要否判定部１０５は、同期信号生成部１０４から同期信号を取得するとともに、コンテンツ判別部１０９から判別結果を取得する。制限要否判定部１０５は、同期信号及び判別結果を取得した場合、取得した判別結果と、モード記憶部１９０に記憶されている視認制限モード設定有無情報とに基づいて、画像制御部１０１から液晶パネル１１１に供給される３Ｄコンテンツ（即ち、画像表示部１１０に表示する３Ｄコンテンツ）に対する、夫々の画像鑑賞用メガネ２０における視認制限の要否を判定する。
【００４１】
具体的には、制限要否判定部１０５は、画像表示部１１０に表示する３Ｄコンテンツが制限コンテンツである旨の判別結果を取得し、かつ、ある画像鑑賞用メガネ２０が視認制限モードに設定済である場合、当該３Ｄコンテンツに対する、当該画像鑑賞用メガネ２０における視認制限は必要であると判定する。即ち、制限要否判定部１０５は、制限コンテンツの表示中には、視認制限モードに設定済の画像鑑賞用メガネ２０における視認制限は必要であると判定する。
【００４２】
また、制限要否判定部１０５は、画像表示部１１０に表示する３Ｄコンテンツが制限コンテンツ若しくは非制限コンテンツである旨の判別結果を取得し、かつ、ある画像鑑賞用メガネ２０が視認制限モードに未設定である場合、当該３Ｄコンテンツに対する、当該画像鑑賞用メガネ２０における視認制限は不要であると判定する。即ち、制限要否判定部１０５は、制限コンテンツの表示中、及び、非制限コンテンツの表示中には、視認制限モードに未設定の画像鑑賞用メガネ２０における視認制限は不要であると判定する。換言すれば、制限要否判定部１０５は、視認制限モードに未設定の画像鑑賞用メガネ２０の場合、制限コンテンツ／非制限コンテンツに関らず、視認制限は不要であると判定する。
【００４３】
また、制限要否判定部１０５は、画像表示部１１０に表示する３Ｄコンテンツが非制限コンテンツである旨の判別結果を取得し、かつ、ある画像鑑賞用メガネ２０が視認制限モードに未設定若しくは設定済である場合、当該３Ｄコンテンツに対する、当該画像鑑賞用メガネ２０における視認制限は不要であると判定する。即ち、制限要否判定部１０５は、非制限コンテンツの表示中には、視認制限モードに未設定の画像鑑賞用メガネ２０、及び、視認制限モードに設定済の画像鑑賞用メガネ２０における視認制限は不要であると判定する。換言すれば、制限要否判定部１０５は、非制限コンテンツを表示中の場合、視認制限モードの未設定／設定済に関らず、視認制限は不要であると判定する。
【００４４】
制限要否判定部１０５は、視認制限は不要であると判定した場合、同期信号生成部１０４から取得した同期信号を通信部１２０に出力する。制限要否判定部１０５は、視認制限は必要であると判定した場合、同期信号生成部１０４から取得した同期信号を同期信号調整部１０６に出力する。
【００４５】
同期信号調整部１０６は、制限要否判定部１０５が視認制限は必要であると判定した場合に、制限要否判定部１０５から同期信号を取得する。同期信号調整部１０６は、制限要否判定部１０５から同期信号を取得した場合、当該同期信号を調整（修正）する。
なお、同期信号を調整（修正）するとは、結果的に元の信号を調整するものであればよく、例えば、単に元の信号を修正（単にタイミングを修正する場合も含む）する態様でもよいし、元の信号を利用して新たな信号を生成する態様でもよい。
【００４６】
具体的には、同期信号調整部１０６は、画像鑑賞用メガネ２０が有するシャッターが、図５（ａ）に示すように、第１の期間内において閉状態、第２の期間内において開状態となるように同期信号を調整する。なお、図５（ａ）は、右目用画像から左目用画像に切り替わる第２の期間（符号Ａ、Ｅ）に左目シャッターが開状態、左目用画像から右目用画像に切り替わる第２の期間（符号Ｃ）に右目シャッターが開状態となる例であるが、同期信号調整部１０６は、図５（ｂ）に示すように、第２の期間（符号Ａ、Ｅ）に右目シャッターが開状態、第２の期間（符号Ｃ）に左目シャッターが開状態となるように同期信号を調整してもよい。同期信号調整部１０６は、調整した同期信号を通信部１２０に出力する。
【００４７】
つまり、シャッター制御部１０３は、制限コンテンツの表示中において、視認制限モードに設定されている画像鑑賞用メガネ２０を対象に、第１の期間内において閉状態、第２の期間内において開状態となるように、画像鑑賞用メガネ２０が有する右目シャッター、左目シャッターの開閉を制御する（図５参照）。
【００４８】
また、シャッター制御部１０３は、制限コンテンツの表示中、及び、非制限コンテンツの表示中において、視認制限モードに設定されていない画像鑑賞用メガネ２０を対象に、第１の期間内において開状態、第２の期間内において閉状態となるように、画像鑑賞用メガネ２０が有する右目シャッター、左目シャッターの開閉を制御する（図４参照）。
【００４９】
また、シャッター制御部１０３は、非制限コンテンツの表示中において、視認制限モードに設定されていない画像鑑賞用メガネ２０、及び、視認制限モードに設定されている画像鑑賞用メガネ２０を対象に、第１の期間内において開状態、第２の期間内において閉状態となるように、画像鑑賞用メガネ２０が有する右目シャッター、左目シャッターの開閉を制御する（図４参照）。
【００５０】
なお、シャッター制御部１０３は、制限コンテンツの表示中において、第２の期間の中心を含む時間で開状態となるように、画像鑑賞用メガネ２０が有する右目シャッター、左目シャッターの開閉を制御してもよい。なお、図５（ａ）（ｂ）の例は、上述の如く制御した例である。
【００５１】
また、シャッター制御部１０３は、制限コンテンツの表示中において、視認制限モードの非設定時の開状態の期間の中心が視認制限モードの設定時の閉状態の期間の中心に、視認制限モードの非設定時の閉状態の期間の中心が視認制限モードの設定時の開状態の期間の中心になるように、画像鑑賞用メガネ２０が有する右目シャッター、左目シャッターの開閉を制御してもよい。なお、図５（ａ）（ｂ）の例は、上述の如く制御した例である。
【００５２】
また、シャッター制御部１０３は、図６（ａ）、図６（ｂ）、図６（ｃ）又は図６（ｄ）に示すように、制限コンテンツの表示中において、視認制限モードの設定時の開状態の時間が、視認制限モードの非設定時の開状態の時間よりも短くなるように、画像鑑賞用メガネ２０が有する右目シャッター、左目シャッターの開閉を制御してもよい。
【００５３】
また、シャッター制御部１０３は、制限コンテンツの表示中において、視認制限モードの設定時の開状態の時間の中心が第２の期間の中心よりも前側に、かつ、視認制限モードの非設定時であれば当該第２の期間の直前の第１の期間において開状態となる右目用及び左目用のシャッターの何れか一方とは異なる他方が、当該第２の期間において開状態になるように、画像鑑賞用メガネ２０が有する右目シャッター、左目シャッターの開閉を制御してもよい。なお、図６（ａ）の例は、上述の如く制御した例である。図６（ａ）では、開状態の時間の中心が第２の期間（例えば、符号Ｃ）の中心よりも前側に、かつ、視認制限モードの非設定時であれば当該第２の期間（符号Ｃ）の直前の第１の期間（符号Ｂ）において開状態となる左目シャッター（図４参照）とは異なる他方（＝右目シャッター）が、当該第２の期間（符号Ｃ）において開状態になっている。
【００５４】
また、シャッター制御部１０３は、制限コンテンツの表示中において、視認制限モードの設定時の開状態の時間の中心が第２の期間の中心よりも後側に、かつ、視認制限モードの非設定時であれば当該第２の期間の直前の第１の期間において開状態となる右目用及び左目用のシャッターの何れか一方が、当該第２の期間において開状態になるように、画像鑑賞用メガネ２０が有する右目シャッター、左目シャッターの開閉を制御してもよい。なお、図６（ｄ）の例は、上述の如く制御した例である。図６（ｄ）では、開状態の時間の中心が第２の期間（例えば、符号Ｃ）の中心よりも後側に、かつ、視認制限モードの非設定時であれば当該第２の期間（符号Ｃ）の直前の第１の期間（符号Ｂ）において開状態となる左目シャッター（図４参照）が、当該第２の期間（符号Ｃ）において開状態になっている。
【００５５】
通信部１２０は、制限要否判定部１０５から同期信号（即ち、同期信号生成部１０４によって生成された同期信号）を取得した場合、画像鑑賞用メガネ２０を制御する制御情報として、当該同期信号を無線通信によって画像鑑賞用メガネ２０に送信する。なお、「無線通信」とは、伝送路として線を使わない通信である。画像表示装置１０と画像鑑賞用メガネ２０間の無線通信として、例えば、ブルートゥースを利用してもよい。通信部１２０は、同期信号調整部１０６から同期信号（即ち、同期信号調整部１０６によって調整された同期信号）を取得した場合、上記制御情報として、当該同期信号を無線通信によって画像鑑賞用メガネ２０に送信する。
【００５６】
（画像鑑賞用メガネ２０）
画像鑑賞用メガネ２０は、通信部２２０、シャッター駆動部２４０及びシャッター部２５０を備える。シャッター部２５０は、それぞれ液晶パネルを含む左目シャッター２５０Ｌ、及び右目シャッター２５０Ｒを有する。
【００５７】
通信部２２０は、無線通信によって、画像表示装置１０から制御信号（同期信号生成部１０４によって生成された同期信号、又は、同期信号調整部１０６によって調整された同期信号）を受信する。より詳細には、非制限コンテンツの表示中においては、当該画像鑑賞用メガネ２０が視認制限モードに設定されているか否かに関らず、通信部２２０は、制御信号として、同期信号生成部１０４によって生成された同期信号（図４の如くシャッター部２５０を制御する同期信号）を受信する。また、制限コンテンツの表示中においては、当該画像鑑賞用メガネ２０が視認制限モードに設定されている場合に、通信部２２０は、制御信号として、同期信号調整部１０６によって調整された同期信号（図５又は図６の如くシャッター部２５０を制御する同期信号）を受信する。通信部２２０は、制御信号をシャッター駆動部２４０に出力する。
【００５８】
シャッター駆動部２４０は、通信部２２０から取得した同期信号に基づいてシャッター部２５０を駆動させる。具体的には、シャッター駆動部２４０は、プロトコル記憶部（非図示）に記憶されているプロトコル情報を用いて同期信号を解析し、同期信号の解析結果に基づいて、シャッター部２５０を駆動させるシャッター駆動信号（左目シャッター２５０Ｌの液晶パネルの透過率、及び、右目シャッター２５０Ｒの液晶パネルの透過率を制御する信号）を生成し、生成したシャッター駆動信号をシャッター部２５０に出力する。
【００５９】
シャッター部２５０は、シャッター駆動部２４０から取得したシャッター駆動信号に従って、左目シャッター２５０Ｌ、右目シャッター２５０Ｒを交互に駆動させる。つまり、シャッター部２５０の左目シャッター２５０Ｌ及び右目シャッター２５０Ｒは、画像表示装置１０から出力された制御信号に基づいて開閉する（図４、図５、図６参照）。
【００６０】
以下、図７を参照して、画像表示装置１０の動作を説明する。図７は、本発明の第１の実施形態による画像表示装置１０の動作の一例を示すフローチャートである。図７のフローチャートは、３Ｄコンテンツ、及び、該３Ｄコンテンツの表示タイミングを取得することにより開始する。図７のフローチャートの開始時においてモード記憶部１９０には図３に示した視認制限モード有無情報が記憶されているものとする。なお、ユーザーＡ（大人）がメガネ識別情報「Ｇ００１」の画像鑑賞用メガネ２０を装着し、ユーザーＢ（子供）がメガネ識別情報「Ｇ００２」の画像鑑賞用メガネ２０を装着し、画像表示装置１０が表示する３Ｄコンテンツを視認するものとする。
【００６１】
図７において、３Ｄコンテンツ及び表示タイミングを取得した画像制御部１０１は、３Ｄコンテンツを表示タイミングに従って液晶パネル１１１に出力する（ステップＳ１０）。また、画像制御部１０１は、表示タイミングを光源制御部１０２及び同期信号生成部１０４に出力する。光源制御部１０２は、画像制御部１０１から取得した表示タイミングに従って光源１１２を制御する（ステップＳ１２）。
【００６２】
同期信号生成部１０４は、画像制御部１０１から取得した表示タイミングに従って同期信号を生成する（ステップＳ１４）。同期信号生成部１０４は、生成した同期信号を制限要否判定部１０５に出力する。
【００６３】
コンテンツ判別部１０９は、画像制御部１０１から液晶パネル１１１に供給される３Ｄコンテンツ（即ち、画像表示部１１０に表示する３Ｄコンテンツ）が、制限コンテンツであるか、非制限コンテンツであるかを判別する（ステップＳ１６）。コンテンツ判別部１０９は、判別結果を制限要否判定部１０５に出力する。
【００６４】
制限要否判定部１０５は、コンテンツ判別部１０９による判別結果と、モード記憶部１９０に記憶されている視認制限モード設定有無情報とに基づいて、画像制御部１０１から液晶パネル１１１に供給された３Ｄコンテンツ（即ち、画像表示部１１０に表示する３Ｄコンテンツ）に対する、ユーザーＡの画像鑑賞用メガネ２０及びユーザーＢの画像鑑賞用メガネ２０における視認制限の要否を判定する（ステップＳ２０）。
【００６５】
ある画像鑑賞用メガネ２０について視認制限は不要であると判定した場合（ステップ２０：Ｎｏ）、制限要否判定部１０５は同期信号生成部１０４から取得した同期信号を通信部１２０に出力する。通信部１２０は当該同期信号（同期信号生成部１０４によって生成されたままの同期信号）を制御情報として当該画像鑑賞用メガネ２０に送信する（ステップＳ３２）。そして図７のフローチャートは終了する。
【００６６】
なお、図３によれば、ユーザーＡ（大人）の画像鑑賞用メガネ２０（メガネ識別情報「Ｇ００１」の画像鑑賞用メガネ２０）は視認制限モードに設定されていないため、制限要否判定部１０５は、コンテンツ判別部１０９の判別結果に関らず、視認制限は不要であると判定し、同期信号生成部１０４から取得した同期信号を通信部１２０に出力する。通信部１２０は、当該同期信号を制御情報としてユーザーＡの画像鑑賞用メガネ２０に送信する。
【００６７】
ある画像鑑賞用メガネ２０について視認制限は必要であると判定した場合（ステップＳ２０：Ｙｅｓ）、制限要否判定部１０５は同期信号生成部１０４から取得した同期信号を同期信号調整部１０６に出力する。同期信号調整部１０６は、制限要否判定部１０５から取得した同期信号を調整する（ステップＳ４０）。同期信号調整部１０６は、調整した同期信号を通信部１２０に出力する。通信部１２０は当該同期信号（調整後の同期信号）を制御情報として当該画像鑑賞用メガネ２０に送信する（ステップＳ４２）。そして図７のフローチャートは終了する。
【００６８】
なお、図３によれば、ユーザーＢ（子供）の画像鑑賞用メガネ２０（メガネ識別情報「Ｇ００２」の画像鑑賞用メガネ２０）は視認制限モードに設定されているため、制限要否判定部１０５は、コンテンツ判別部１０９から制限コンテンツである旨の判別結果を取得した場合には視認制限は必要であると判定し、同期信号調整部１０６は、制限要否判定部１０５から取得した同期信号を調整し、通信部１２０は、調整後の同期信号を制御情報としてユーザーＢの画像鑑賞用メガネ２０に送信する。なお、制限要否判定部１０５は、コンテンツ判別部１０９から非制限コンテンツである旨の判別結果を取得した場合には視認制限は不要であると判定するため、通信部１２０は、同期信号生成部１０４によって生成されたままの同期信号を制御情報としてユーザーＢの画像鑑賞用メガネ２０に送信する。
【００６９】
以上、第１の実施形態の画像表示システム１の画像表示装置１０によれば、大人と子供とが同時にコンテンツを楽しめるような使い勝手のよいパレンタル制御を実現することができる。具体的には、準備段階として、子供が使用する画像鑑賞用メガネ２０の視認制限モードをオンに設定し、大人が使用する画像鑑賞用メガネ２０の視認制限モードをオフに設定しておく。画像表装置は、制限コンテンツの表示中、視認制限モードをオンに設定した子供用の画像鑑賞用メガネ２０に対し、第１の期間（バックライトの点灯期間又はバックライトが強い期間）に閉状態（ＣＬＯＳＥ）、第２の期間（バックライトの消灯期間又はバックライトが弱い期間）に開状態（ＯＰＥＮ）となるように制御情報を送信するため、子供用の画像鑑賞用メガネ２０を装着した子供は、表示中の制限コンテンツ（コンテンツ全体／コンテンツ内のシーン）の視認が困難になる。なお、子供が画像鑑賞用メガネ２０を外した場合にはクロストークによって視認は困難になる。
【００７０】
なお、画像表示部１１０は、制限コンテンツを表示している場合に、制限コンテンツを表示している旨を表示するようにしてもよい。例えば、画像表示部１１０は、「制限コンテンツ表示中」と表示してもよい。具体的には、コンテンツ判別部１０９は判別結果を画像制御部１０１に出力するようにし、画像制御部１０１は、コンテンツ判別部１０９から制限コンテンツである旨の判別結果を取得した場合に、メッセージ「制限コンテンツ表示中」を液晶パネル１１１に出力すればよい。
【００７１】
上記に代えてまたは加えて、画像表示部１１０は、制限コンテンツを表示し、かつ、ある画像鑑賞用メガネ２０に対し調整後の同期信号を出力している場合に、当該画像鑑賞用メガネ２０は視認制限を受けている旨を表示するようにしてもよい。例えば、画像表示部１１０は、「視認制限中」と表示してもよい。具体的には、制限要否判定部１０５は視認制限の要否の判定結果を画像制御部１０１に出力するようにし、画像制御部１０１は、制限要否判定部１０５から視認制限は必要である旨の判定結果を取得した場合に、メッセージ「視認制限中」を液晶パネル１１１に出力すればよい。
【００７２】
シャッター制御部１０３は、制限コンテンツの連続表示時間が所定時間を越えた場合には、視認制限モードに設定されている画像鑑賞用メガネ２０が第２の期間内においても閉状態となるように、画像鑑賞用メガネ２０が有する右目シャッター２５０Ｒ、左目シャッター２５０Ｌの開閉を制御してもよい。
【００７３】
また、画像表示部１１０は、上記場合に、制限コンテンツの連続表示時間が所定時間を越えた旨を表示するようにしてもよい。
【００７４】
シャッター制御部１０３は、制限コンテンツの表示中において、緊急情報を表示するときは、視認制限モードに設定されている画像鑑賞用メガネ２０であっても、図４に示すように、第１の期間内において開状態、第２の期間内において閉状態となるように、画像鑑賞用メガネ２０が有する右目シャッター２５０Ｒ、左目シャッター２５０Ｌの開閉を制御してもよい。
【００７５】
［第２の実施形態］
続いて、本発明の第２の実施形態について図面を参照して詳細に説明する。図８は、本発明の第２の実施形態による、画像鑑賞用メガネを含む画像表示システム２の機能ブロック図の一例である。
【００７６】
画像表示システム２は、図８に示すように、左目用画像及び右目用画像を含む３Ｄコンテンツを表示する画像表示装置１２と、画像表示装置１２が表示する３Ｄコンテンツを鑑賞するための画像鑑賞用メガネ２２とを備える。画像表示装置１２は、例えば、３Ｄテレビ、プロジェクターなどが該当する。なお、図８において１つの画像鑑賞用メガネ２２を示したが、画像表示システム２は複数の画像鑑賞用メガネ２２を備えていてもよい。
【００７７】
（画像表示装置１２）
画像表示装置１２は、制御部１４０（ＣＰＵ）、画像表示部１１０及び通信部１２２を備える。制御部１４０は、画像制御部１０１、光源制御部１０２、同期信号生成部１０４及びコンテンツ判別部１０９を有する。画像表示部１１０は、液晶パネル１１１及び光源１１２を有する。画像表示装置１２が備える画像制御部１０１、光源制御部１０２、同期信号生成部１０４、コンテンツ判別部１０９、液晶パネル１１１及び光源１１２は、画像表示システム１の画像表示装置１０が備える画像制御部１０１、光源制御部１０２、同期信号生成部１０４、コンテンツ判別部１０９、液晶パネル１１１及び光源１１２と同様であるため、説明の一部又は全部を省略する。
【００７８】
コンテンツ判別部１０９は、画像制御部１０１から液晶パネル１１１に供給される３Ｄコンテンツが、制限コンテンツであるか、非制限コンテンツであるかを判別し、判別結果を通信部１２２に出力する。
【００７９】
同期信号生成部１０４は、画像制御部１０１から表示タイミングを取得する。同期信号生成部１０４は、画像制御部１０１から取得した表示タイミングに従って、画像鑑賞用メガネ２２に送信する同期信号（図４参照）を生成し、生成した同期信号を通信部１２２に出力する。
【００８０】
通信部１２２は、同期信号生成部１０４から同期信号を取得するとともに、コンテンツ判別部１０９から判別結果を取得する。通信部１２２は、画像鑑賞用メガネ２２を制御する制御情報として、同期信号生成部１０４から取得した同期信号を無線通信（例えば、赤外線、ブルートゥース）によって画像鑑賞用メガネ２２に送信する。また、通信部１２２は、コンテンツ判別部１０９から取得した判別結果を無線通信によって画像鑑賞用メガネ２２に送信する。なお、通信部１２２は、制限コンテンツである旨の判別結果を画像鑑賞用メガネ２２に送信し、非制限コンテンツである旨の判別結果を画像鑑賞用メガネ２２に送信しなくてもよい。
【００８１】
（画像鑑賞用メガネ２２）
画像鑑賞用メガネ２２は、通信部２２２、シャッター制御部２３０、シャッター駆動部２４０、シャッター部２５０及びモード記憶部２９０を備える。シャッター制御部２３０は、制限要否判定部２３５及び同期信号調整部２３６を有する。シャッター部２５０は、それぞれ液晶パネルを含む左目シャッター２５０Ｌ、及び右目シャッター２５０Ｒを有する。画像鑑賞用メガネ２２が備えるシャッター駆動部２４０及びシャッター部２５０は、画像表示システム１の画像鑑賞用メガネ２０が備えるシャッター駆動部２４０及びシャッター部２５０と同様であるため、説明の一部又は全部を省略する。
【００８２】
図９は、モード記憶部２９０に記憶されている情報の一例である。モード記憶部２９０は、当該画像鑑賞用メガネ２２に設定されているモードを記憶する。具体的には、モード記憶部２９０は、視認制限モード設定有無情報を記憶する。例えば、モード記憶部２９０は、図９（ａ）に示すように、視認制限モードに未設定である旨の視認制限モード設定有無情報「０（設定オフ）」、又は、図９（ｂ）に示すように、視認制限モードに設定済である旨の視認制限モード設定有無情報「１（設定オン）」を記憶する。なお、視認制限モード設定有無情報の初期値を０としてもよい。
【００８３】
モード記憶部２９０に記憶される視認制限モード設定有無情報は、当該画像鑑賞用メガネ２２において入力されたものであってもよい。即ち、ユーザーは、画像鑑賞用メガネ２２の視認制限モード設定有無情報を画像鑑賞用メガネ２２上にて入力してもよい。
【００８４】
また、画像鑑賞用メガネ２２には、マスターメガネとスレーブメガネとが存在し、スレーブメガネの視認制限モード設定有無情報は、マスターメガネにおいて入力され、マスターメガネから送信（ブルートゥースを利用）されたものであってもよい。なお、マスターメガネにて視認制限モード設定有無情報の入力を許可し、スレーブメガネにて視認制限モード設定有無情報の入力を禁止することによって実現してもよいし、画像表示装置１２において、マスターメガネから送信された視認制限モード設定有無情報をモード記憶部２９０に記憶し、スレーブメガネから送信された視認制限モード設定有無情報を破棄することによって実現してもよい。
【００８５】
通信部２２２は、無線通信によって、画像表示装置１２から制御信号（同期信号生成部１０４によって生成された同期信号）を受信する。また、通信部２２２は、無線通信によって、画像表示装置１２から判別結果を受信する。通信部２２０は、制御信号、判別結果をシャッター制御部２３０（制限要否判定部２３５）に出力する。
【００８６】
シャッター制御部２３０は、視認制限モードの設定中において、通信部２２２から制限コンテンツである旨の判別結果を取得したときは、通信部２２２から取得した制御情報（同期信号）を調整し、３Ｄコンテンツが見難くなるように左目シャッター２５０Ｌ及び右目シャッター２５０Ｒの開閉を制御する。以下、シャッター制御部２３０の詳細を説明する。
【００８７】
制限要否判定部２３５は、通信部２２２から制御信号（同期信号）、判別結果を取得する。制限要否判定部２３５は、制御信号及び判別結果を取得した場合、取得した判別結果と、モード記憶部２９０に記憶されている視認制限モード設定有無情報とに基づいて、画像表示装置１２に表示されている３Ｄコンテンツに対する視認制限の要否を判定する。制限要否判定部２３５による判定方法は、画像表示システム１の画像表示装置１０の制限要否判定部１０５と同様である。
【００８８】
制限要否判定部２３５は、視認制限は不要であると判定した場合、通信部２２２から取得した制御情報（同期信号）をシャッター駆動部２４０に出力する。制限要否判定部２３５は、視認制限は必要であると判定した場合、通信部２２２から取得した制御情報（同期信号）を同期信号調整部２３６に出力する。
【００８９】
同期信号調整部２３６は、制限要否判定部２３５が視認制限は必要であると判定した場合に、制限要否判定部２３５から制御情報（同期信号）を取得する。同期信号調整部２３６は、制限要否判定部２３５から制御情報（同期信号）を取得した場合、当該同期信号を調整（修正）する。同期信号調整部２３６は、調整後の制御情報をシャッター駆動部２４０に出力する。
なお、同期信号を調整（修正）するとは、結果的に元の信号を調整するものであればよく、例えば、単に元の信号を修正（単にタイミングを修正する場合も含む）する態様でもよいし、元の信号を利用して新たな信号を生成する態様でもよい。
【００９０】
なお、同期信号調整部２３６による調整方法は、画像表示システム１の画像表示装置１０が備える同期信号調整部１０６と同様である。即ち、同期信号調整部２３６は、左目シャッター２５０Ｌ及び右目シャッター２５０Ｒが、第１の期間内において閉状態、第２の期間内において開状態となるように同期信号を調整する（図５、図６参照）。
【００９１】
シャッター駆動部２４０は、制限要否判定部２３５又は同期信号調整部２３６から制御信号を取得する。シャッター駆動部２４０は、制限要否判定部２３５から制御信号（即ち、同期信号生成部１０４によって生成された同期信号）を取得した場合、当該同期信号に基づいてシャッター部２５０を駆動（左目シャッター２５０Ｌ及び右目シャッター２５０Ｒを開閉）させる。シャッター駆動部２４０は、同期信号調整部２３６から制御信号（即ち、同期信号調整部２３６によって調整された同期信号）を取得した場合、当該同期信号に基づいてシャッター部２５０を駆動させる。
【００９２】
つまり、シャッター制御部２３０は、視認制限モードの設定中において、制限コンテンツが表示されているときは、シャッター駆動部２４０に出力する制御信号を第１の期間内において閉状態、第２の期間内において開状態となるように調整し、シャッター部２５０（即ち、左目シャッター２５０Ｌ及び右目シャッター２５０Ｒの開閉）を制御する。
【００９３】
例えば、シャッター制御部２３０は、図５（ａ）又は図５（ｂ）に示すように、同期信号生成部１０４によって生成された同期信号に示されたシャッターの開状態の期間の中心が、調整後のシャッターの閉状態の期間の中心に、上記同期信号に示されたシャッターの閉状態の期間の中心が、調整後のシャッターの開状態の期間の中心になるようにシャッター部２５０を制御する。または、より簡単に、同期信号生成部１０４によって生成された同期信号に示されたシャッターの開状態の期間が、調整後のシャッターの閉状態の期間に、上記同期信号に示されたシャッターの閉状態の期間が、調整後のシャッターの開状態の期間になるようにシャッター部２５０を制御してもよい。
【００９４】
また、シャッター制御部２３０は、図６（ａ）、図６（ｂ）、図６（ｃ）又は図６（ｄ）に示すように、調整後のシャッターの開状態の時間が、同期信号生成部１０４によって生成された同期信号に示されたシャッターの開状態の時間よりも短くなるようにシャッター部２５０を制御してもよい。
【００９５】
以下、図１０を参照して、画像鑑賞用メガネ２２の動作を説明する。図１０は、本発明の第２の実施形態による画像鑑賞用メガネ２２の動作の一例を示すフローチャートである。図１０のフローチャートは、制御信号（同期信号）及び判別結果を受信することにより開始する。
【００９６】
図１０において、制御信号及び判別結果を受信した通信部２２２は、制御信号（同期信号）、判別結果を制限要否判定部２３５に出力する。
【００９７】
制限要否判定部２３５は、通信部２２２から取得した判別結果と、モード記憶部２９０に記憶されている視認制限モード設定有無情報とに基づいて、画像表示装置１２に表示されている３Ｄコンテンツに対する視認制限の要否を判定する（ステップＳ５０）。
【００９８】
視認制限は不要であると判定した場合（ステップＳ５０：Ｎｏ）、制限要否判定部２３５は通信部２２２から取得した制御情報（同期信号）をシャッター駆動部２４０に出力する。シャッター駆動部２４０は、当該制御信号（画像表示装置１２によって生成されたままの同期信号）に基づいてシャッター部２５０を駆動（左目シャッター２５０Ｌ及び右目シャッター２５０Ｒを開閉）させる（ステップＳ６２）。そして図１０のフローチャートは終了する。
【００９９】
例えば、当該画像鑑賞用メガネ２２が、ユーザーＡ（大人）が装着するものであって、モード記憶部２９０には図９（ａ）に示した視認制限モード有無情報が記憶されている場合には、判別結果に関らず、視認制限は不要であると判定し（ステップＳ５０：Ｎｏ）、受信した制御情報（画像表示装置１２によって生成されたままの同期信号）に基づいてシャッター部２５０を駆動させる（ステップＳ６２）。
【０１００】
視認制限は必要であると判定した場合（ステップＳ５０：Ｙｅｓ）、制限要否判定部２３５は通信部２２２から取得した制御情報（同期信号）を同期信号調整部２３６に出力する。制限要否判定部２３５から制御情報（同期信号）を取得した同期信号調整部２３６は、当該同期信号を調整する（ステップＳ７０）。同期信号調整部２３６は、調整後の制御情報をシャッター駆動部２４０に出力する。シャッター駆動部２４０は、当該制御信号（同期信号調整部２３６によって調整された同期信号）に基づいてシャッター部２５０を駆動（左目シャッター２５０Ｌ及び右目シャッター２５０Ｒを開閉）させる（ステップＳ７２）。そして図１０のフローチャートは終了する。
【０１０１】
例えば、当該画像鑑賞用メガネ２２が、ユーザーＢ（子供）が装着するものであって、モード記憶部２９０には図９（ｂ）に示した視認制限モード有無情報が記憶されている場合には、制限コンテンツである旨の判別結果を受信したときは、視認制限は必要であると判定し（ステップＳ５０：Ｙｅｓ）、受信した制御情報（画像表示装置１２によって生成された同期信号）を調整し（ステップＳ７０）、調整後の制御情報に基づいてシャッター部２５０を駆動させる（ステップＳ７２）。
【０１０２】
以上、第２の実施形態の画像表示システム２の画像鑑賞用メガネ２２によれば、第１の実施形態の画像表示システム１の画像表示装置１０と同様の効果を得ることができる。画像表示システム１では、３Ｄコンテンツの視認制限を画像表示装置１０にて実現したが、画像表示システム２では、３Ｄコンテンツの視認制限を画像鑑賞用メガネ２２にて実現する。即ち、画像表示システム１の場合、画像表示装置１０において視認制限の要否に応じて夫々の画像鑑賞用メガネ２０に対して異なる制御信号を送信し、画像鑑賞用メガネ２０は画像表示装置１０から送信された制御信号に従ってシャッターを開閉させるという態様であるが、画像表示システム２の場合、画像表示装置１２は全ての画像鑑賞用メガネ２２に対して同一の制御信号を送信し、夫々の画像鑑賞用メガネ２２において視認制限の要否に応じて画像表示装置１２から送信された制御信号を調整し、シャッターを開閉させるという態様である。
【０１０３】
［第３の実施形態］
続いて、本発明の第３の実施形態について図面を参照して詳細に説明する。図１１は、本発明の第３の実施形態による、制御装置３０を含む画像表示システム３の機能ブロック図の一例である。
【０１０４】
画像表示システム３は、図１１に示すように、画像表示システム２の画像表示装置１２（図８参照）と、制御装置３０と、画像表示システム１の画像鑑賞用メガネ２０（図１参照）とを備える。なお、図１１において１つの画像鑑賞用メガネ２０を示したが、画像表示システム３は複数の画像鑑賞用メガネ２０を備えていてもよい。
【０１０５】
（制御装置３０）
制御装置３０は、通信部３２４、３２６、シャッター制御部３０３及びモード記憶部３９０を備える。シャッター制御部３０３は、制限要否判定部３０５及び同期信号調整部３０６を有する。
【０１０６】
モード記憶部３９０は、画像表示システム１の画像表示装置１０のモード記憶部１９０と同様、画像鑑賞用メガネ２０に設定されているモード（視認制限モード設定有無情報）を記憶する。なお、第１の実施形態と同様、第３の実施形態においても、画像鑑賞用メガネ２０には、マスターメガネとスレーブメガネとが存在してもよい。マスターメガネとスレーブメガネとが存在する場合には、制御装置３０のモード記憶部３９０は、マスターメガネから送信されたマスターメガネ及びスレーブメガネの視認制限モード設定有無情報を記憶する。
【０１０７】
通信部３２４は、画像表示システム２の画像鑑賞用メガネ２２の通信部２２２と同様、制御信号（同期信号生成部１０４によって生成された同期信号）及び判別結果を画像表示装置１２から受信する。通信部３２４は、制御信号、判別結果をシャッター制御部３０３（制限要否判定部３０５）に出力する。
【０１０８】
制限要否判定部３０５は、通信部３２４から取得した判別結果と、モード記憶部３９０に記憶されている視認制限モード設定有無情報とに基づいて、画像表示装置１２に表示されている３Ｄコンテンツに対する視認制限の要否を判定する。制限要否判定部３０５による判定方法は、画像表示システム１の画像表示装置１０の制限要否判定部１０５と同様である。
【０１０９】
制限要否判定部３０５は、視認制限は不要であると判定した場合、通信部３２４から取得した制御信号（同期信号）を通信部３２６に出力する。制限要否判定部３０５は、視認制限は必要であると判定した場合、通信部３２４から取得した制御信号（同期信号）を同期信号調整部３０６に出力する。
【０１１０】
同期信号調整部３０６は、制限要否判定部３０５が視認制限は必要であると判定した場合に、制限要否判定部３０５から制御信号（同期信号）を取得する。同期信号調整部３０６は、制限要否判定部３０５から同期信号を取得した場合、当該同期信号を調整（修正）する。なお、同期信号を調整（修正）するとは、結果的に元の信号を調整するものであればよく、例えば、単に元の信号を修正（単にタイミングを修正する場合も含む）する態様でもよいし、元の信号を利用して新たな信号を生成する態様でもよい。
【０１１１】
同期信号調整部３０６による同期信号の調整方法は、画像表示システム１の画像表示装置１０の同期信号調整部１０６と同様である。つまり、同期信号調整部３０６は、画像表示装置１２が視認制限を要する３Ｄコンテンツを表示している場合に、視認制限を要する３Ｄコンテンツの視認を制限する視認制限モードに設定されている画像鑑賞用メガネ２０を対象に、第１の期間内において閉状態、第２の期間内において開状態となるように同期信号を調整する。同期信号調整部３０６は、調整した同期信号を通信部３２６に出力する。
【０１１２】
通信部３２６は、制限要否判定部３０５から制御信号（即ち、同期信号生成部１０４によって生成された同期信号）を取得した場合、当該制御信号を無線通信（例えば、ブルートゥース）によって画像鑑賞用メガネ２０に送信する。通信部３２６は、同期信号調整部３０６から制御信号（即ち、同期信号調整部３０６によって調整された同期信号）を取得した場合、当該制御信号を無線通信によって画像鑑賞用メガネ２０に送信する。
【０１１３】
以上、第３の実施形態の画像表示システム３の制御装置３０によれば、第１の実施形態の画像表示システム１の画像表示装置１０、第２の実施形態の画像表示システム２の画像鑑賞用メガネ２２と同様の効果を得ることができる。
【０１１４】
なお、画像表示システム３において、画像表示装置１２に代えて、制御装置３０がコンテンツ判別部１０９を備えるようにしてもよい。
【０１１５】
なお、本発明の各実施形態において、シャッター制御部は、制限コンテンツの表示中において、視認制限モードの設定時の開状態の時間が、視認制限モードの設定時の閉状態の時間よりも短くなるようにシャッターの開閉を制御するようにしてもよい。つまり、視認制限モードの設定時における、開状態の時間と閉状態の時間とを、子供による制限コンテンツの視認をより一層困難にするように制御してもよい。
【０１１６】
なお、本発明の各実施形態による画像表示装置１０、画像鑑賞用メガネ２２又は制御装置３０の処理を実行するためのプログラムをコンピューター読み取り可能な記録媒体に記録して、当該記録媒体に記録されたプログラムをコンピューターシステムに読み込ませ、実行することにより、画像表示装置１０、画像鑑賞用メガネ２２又は制御装置３０の処理を実現させてもよい。なお、ここでいう「コンピューターシステム」とは、ＯＳや周辺機器等のハードウェアを含むものであってもよい。また、「コンピューターシステム」は、ＷＷＷシステムを利用している場合であれば、ホームページ提供環境（あるいは表示環境）も含むものとする。また、「コンピューター読み取り可能な記録媒体」とは、フレキシブルディスク、光磁気ディスク、ＲＯＭ、フラッシュメモリー等の書き込み可能な不揮発性メモリー、ＣＤ−ＲＯＭ等の可搬媒体、コンピューターシステムに内蔵されるハードディスク等の記憶装置のことをいう。
【０１１７】
さらに「コンピューター読み取り可能な記録媒体」とは、インターネット等のネットワークや電話回線等の通信回線を介してプログラムが送信された場合のサーバーやクライアントとなるコンピューターシステム内部の揮発性メモリー（例えばＤＲＡＭ（Dynamic Random Access Memory））のように、一定時間プログラムを保持しているものも含むものとする。また、上記プログラムは、このプログラムを記憶装置等に格納したコンピューターシステムから、伝送媒体を介して、あるいは、伝送媒体中の伝送波により他のコンピューターシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピューターシステムにすでに記録されているプログラムとの組み合わせで実現できるもの、いわゆる差分ファイル（差分プログラム）であっても良い。
【０１１８】
以上、この発明の実施形態について詳述してきたが、具体的な構成はこの実施形態に限られるものではなく、この発明の要旨を逸脱しない範囲の設計等も含まれる。
【０１１９】
本発明の表示装置は、投影面に画像を投影するプロジェクターに限定されず、液晶表示パネルに画像を表示する液晶モニターまたは液晶テレビ、或いは、ＰＤＰ（プラズマディスプレイパネル）に画像を表示するモニター装置またはテレビ受像機、ＯＬＥＤ（Organic Light-emitting-diode）、ＯＥＬ（Organic Electro-Luminescence）等と呼ばれる有機ＥＬ表示パネルに画像を表示するモニター装置またはテレビ受像機等の自発光型の表示装置など、各種の表示装置も本発明の表示装置に含まれ、入力された画像信号に基づく画像を表示することができる携帯型の表示装置も含まれる。）
【符号の説明】
【０１２０】
１、２、３…画像表示システム  １０、１２…画像表示装置  ２０、２２…画像鑑賞用メガネ  ３０…制御装置  １００、１４０…制御部  １０１…画像制御部  １０２…光源制御部  １０３…シャッター制御部  １０４…同期信号生成部  １０５…制限要否判定部  １０６…同期信号調整部  １０９…コンテンツ判別部  １１０…画像表示部  １１１…液晶パネル  １１２…光源  １２０、１２２…通信部  １９０…モード記憶部  ２２０、２２２…通信部  ２３０…シャッター制御部  ２３５…制限要否判定部  ２３６…同期信号調整部  ２４０…シャッター駆動部  ２５０…シャッター部  ２５０Ｌ…左目シャッター  ２５０Ｒ…右目シャッター  ２９０…モード記憶部  ３０３…シャッター制御部  ３０５…制限要否判定部  ３０６…同期信号調整部  ３２４、３２６…通信部  ３９０…モード記憶部
【図１】
0005924108.tif 000002
【図２】
0005924108.tif 000003
【図３】
0005924108.tif 000004
【図４】
0005924108.tif 000005
【図５】
0005924108.tif 000006
【図６】
0005924108.tif 000007
【図７】
0005924108.tif 000008
【図８】
0005924108.tif 000009
【図９】
0005924108.tif 000010
【図１０】
0005924108.tif 000011
【図１１】
0005924108.tif 000012